(57)【要約】【課題】  拡張カード用支持フレームを提供する。【解決手段】  拡張カードは回路基板に固定され、前記拡張カード用支持フレームは第一結合段、支持段、及び第二結合段を備える。第一結合段は回路基板の側辺に固定され、支持段は第一結合段と第二結合段との間に連結されると共に回路基板の他側辺に隣接し、第二結合段と第一結合段との間には間隔が空けられて拡張カードの耳板を固定させ、回路基板は仕事面に選択的に載置されるか、或いは拡張カード用支持フレームに支持されて仕事面に直立になる。【選択図】図３
2014220481.tif 000002
【特許請求の範囲】
【請求項１】
少なくとも１つの拡張カードが回路基板に固定され、前記回路基板は隣り合う第一側辺並びに第二側辺、及び少なくとも１つのスロットを有し、前記拡張カードは前記スロットに挿設され、前記拡張カードの前記スロットから離れる一側には耳板を有する拡張カード用支持フレームであって、前記拡張カード用支持フレームは、
前記回路基板の前記第一側辺に固定される第一結合段と、
前記第一結合段の前記第二側辺に隣接する一端に連結される支持段と、
前記支持段に連結されると共に前記第一結合段との間には間隔が空けられ、前記回路基板に対する高さを有すると共に前記拡張カードの前記耳板に対応し、前記耳板が固定される第二結合段と、を備え、
前記回路基板は選択的に仕事面に載置される、或いは前記第二側辺及び前記支持段により前記仕事面に直立になる事を特徴とする、拡張カード用支持フレーム。
【請求項２】
前記支持段は接触面を有し、前記接触面は前記回路基板の前記第二側辺に対して水平であり、前記回路基板は前記接触面及び前記第二側辺により前記仕事面に直立になる事を特徴とする、請求項１に記載の拡張カード用支持フレーム。
【請求項３】
前記第二結合段は前記回路基板の前記スロットに対応する少なくとも１つの結合部を有し、前記拡張カードの前記耳板は前記結合部に固定される事を特徴とする、請求項１に記載の拡張カード用支持フレーム。
【請求項４】
前記第一結合段は本体及び２枚の折り板で構成され、前記本体は前記支持段に連結され、前記２枚の折り板は前記本体から延伸され、各前記折り板は前記本体に平行になる直立段及び前記本体に垂直になる湾曲段を有し、前記直立段は前記回路基板の前記第一側辺に当接され、前記湾曲段は前記回路基板に固定される事を特徴とする、請求項１に記載の拡張カード用支持フレーム。
【請求項５】
２つの錠止部材を更に備え、前記２つの錠止部材の一端は前記２枚の折り板をそれぞれ貫通すると共に前記回路基板に固定され、前記２つの錠止部材の他端は前記２枚の折り板に触圧する事を特徴とする、請求項４に記載の拡張カード用支持フレーム。
【請求項６】
２つの錠止部材及び圧力板を更に備え、前記回路基板は２つの位置決め孔を更に有し、前記２枚の折り板は前記２つの位置決め孔にそれぞれ対応し、前記圧力板は前記回路基板の前記２枚の折り板に対する他側に設置され、前記２つの錠止部材の一端は前記２枚の折り板及び前記２つの位置決め孔を貫通させると共に前記圧力板に固定され、前記２つの錠止部材の他端は前記２枚の折り板に触圧する事を特徴とする、請求項４に記載の拡張カード用支持フレーム。
【請求項７】
前記支持段の対向する両端は前記回路基板の対向する両側にそれぞれ位置する事を特徴とする、請求項１に記載の拡張カード用支持フレーム。
【請求項８】
前記第二結合段に設置されると共に前記第二結合段と共に前記拡張カードの前記耳板を挟んで固定させる固定ユニットを更に備える事を特徴とする、請求項１に記載の拡張カード用支持フレーム。
【請求項９】
前記第一結合段の前記第二側辺から離れる一端に設置されると共に前記第一結合段と前記第二結合段との間に連結される補佐支持段を更に備える事を特徴とする、請求項１に記載の拡張カード用支持フレーム。
【請求項１０】
少なくとも１つの拡張カードが回路基板に固定され、前記回路基板は隣り合う第一側辺並びに第二側辺、及び少なくとも１つのスロットを有し、前記拡張カードは前記スロットに挿設され、前記拡張カードは前記スロットから離れる一側に耳板を有する拡張カード用支持フレームであって、前記拡張カード用支持フレームは、
前記回路基板の前記第一側辺に固定される第一結合段と、
前記第一結合段に連結される支持段と、
前記支持段に連結されると共に前記第一結合段との間には間隔が設けられ、前記回路基板に対する高さを有すると共に前記拡張カードの前記耳板に対応し、前記耳板が固定される第二結合段と、を備え、
前記第二結合段は固定端及び活動端を有し、前記固定端は前記支持段に連結され、前記活動端は前記回路基板の前記第二側辺に向けて延伸されると共に前記第二側辺に対応し、前記回路基板は仕事面に選択的に載置される、或いは前記第二側辺及び前記活動端により前記仕事面に直立になる事を特徴とする拡張カード用支持フレーム。
【請求項１１】
前記第二結合段の前記活動端はストッパーを更に有し、前記ストッパーは前記第一結合段の垂直方向に沿い延伸されると共に前記回路基板の前記第二側辺に水平になり、前記回路基板は前記ストッパー及び前記第二側辺により前記仕事面に直立になる事を特徴とする、請求項１０に記載の拡張カード用支持フレーム。
【請求項１２】
前記第二結合段は前記回路基板の前記スロットに対応する少なくとも１つの結合部を有し、前記拡張カードの前記耳板は前記結合部に固定される事を特徴とする、請求項１０に記載の拡張カード用支持フレーム。
【請求項１３】
前記第一結合段は前記支持段に連結される本体及び前記本体から延伸される２枚の折り板を備え、各前記折り板は前記本体に平行になる直立段及び前記本体に垂直になる湾曲段を有し、前記直立段は前記回路基板の前記第一側辺に当接され、前記湾曲段は前記回路基板に固定される事を特徴とする、請求項１０に記載の拡張カード用支持フレーム。
【請求項１４】
それらの一端は前記２枚の折り板をそれぞれ貫通させると共に前記回路基板に固定される２つの錠止部材を更に備え、前記２つの錠止部材の他端は前記２枚の折り板に触圧する事を特徴とする、請求項１３に記載の拡張カード用支持フレーム。
【請求項１５】
２つの錠止部材及び圧力板を更に備え、前記回路基板は２つの位置決め孔を更に有し、前記２枚の折り板は前記２つの位置決め孔にそれぞれ対応し、前記圧力板は前記回路基板の前記２枚の折り板に対する他側に設置され、前記２つの錠止部材の一端は前記２枚の折り板及び前記２つの位置決め孔を貫通させると共に前記圧力板に固定され、前記２つの錠止部材の他端は前記２枚の折り板に触圧する事を特徴とする、請求項１４に記載の拡張カード用支持フレーム。
【請求項１６】
前記第一結合段の前記本体及び前記第二結合段は前記回路基板の対向する二側にそれぞれ位置される事を特徴とする、請求項１３に記載の拡張カード用支持フレーム。
【請求項１７】
前記第二結合段に設置されると共に前記第二結合段と共に前記拡張カードの前記耳板を挟んで固定させる固定ユニットを更に備える事を特徴とする、請求項１０に記載の拡張カード用支持フレーム。
【発明の詳細な説明】
【技術分野】
【０００１】
本発明は、電子装置用支持フレームに関する。より具体的には、拡張カード用支持フレームに関する。
【背景技術】
【０００２】
パソコンの機能が日々進化するに連れ、ケースを有するパソコン装置は既にエンドユーザーであるパソコンゲーマーやサプライヤーの検査員のみが使用するものではなくなっている。パソコンゲーマーは通常、パソコンの機能の検査や組立てにも精通しており、パソコンの機能を最大限引き出せる。故に検査員はパソコンシステムの機能を先に検査し、製品の品質を確認した後で初めてエンドユーザーの元に出荷可能となる。
【先行技術文献】
【特許文献】
【０００３】
【特許文献１】米国特許第６９８５３６０号明細書
【発明の概要】
【発明が解決しようとする課題】
【０００４】
しかしながら、前述した従来の技術では、パソコンの機能の検査では各電子部材に対して機能検査を行う必要がある上、各電子部材の組合せの変化も検査せねばパソコンの機能を最大限引き出せる配置を発見できず、このためパソコンゲーマーや検査員は回路基板上の電子部材の抜差、回路基板上の電気的接点に対して検査を行う必要があった。このように、パソコンゲーマーや検査員は通常マザーボードを裸にしてパソコンの機能を検査し、パソコンケースを被せずに回路基板上で電子部材の抜差しをしたり、電気信号を検査するためケースを被せる時間を省ける上にパソコンシステムの装備の交換やパソコンの機能の調整を高速化出来る。
【０００５】
また、パソコンゲーマーや検査員が裸の装置を使用する場合、マザーボードに多くのビデオカード、サウンドカード、或いは他の拡張カードを装着して機能向上を図る。然しながら、マザーボードのスロットにハイエンドビデオカード等の分厚くて重たい拡張カードを配置する場合、拡張カード自身の重量が偏っているためスロット内の拡張カードに電気的に接続されるピンが片方のみ圧力を受けるなどし、圧力の大きい側のピンの弾性が疲労して拡張カード上の接続インターフェース（Ｉ／Ｏカード等）との間に良好な電気的接触を保てなくなり、両者の間での信号の伝送にも影響を与え、更にはスロットの損壊にまで繋がる事もあった。
【０００６】
さらに、現在の裸のマザーボードのフレームでは拡張カードに対しデスクトップパソコンのような支持作用を持てない等、操作盤の上にマザーボードを載置させるのみであり、マザーボードの電気的な検査では、パソコンゲーマーや検査員は検査ツールをマザーボードと操作盤との間の隙間に進入させるか、マザーボードの背面の電気的接点の位置の分布を下から上に探る必要があり、操作上至極不便であり精確に検査を行う事も出来なかった。また、パソコンゲーマーや検査員がマザーボードを手に持ち検査を行う場合は、パソコンゲーマーや検査員が手を怪我してしまう危険性があった。
【０００７】
そこで、本発明者は上記の欠点が改善可能と考え、鋭意検討を重ねた結果、合理的設計で上記の課題を効果的に改善する本発明の提案に到った。
【０００８】
本発明は、このような従来の問題に鑑みてなされたものである。上記課題解決のため、本発明は、拡張カード用支持フレームを提供することを主目的とする。すなわち、従来の裸のマザーボード装置の回路基板に拡張カードを配置させると回路基板上のスロットが不均衡に受力しすぐに故障や損壊してしまう問題及び裸のマザーボードのフレームではユーザーは安全にパソコンの検査及び組立てを行えない問題を解決する。
【課題を解決するための手段】
【０００９】
上述した課題を解決し、目的を達成するために、本発明に係る拡張カード用支持フレームは、少なくとも１つの拡張カードが回路基板に固定され、前記回路基板は隣り合う第一側辺並びに第二側辺及び少なくとも１つのスロットを有し、前記拡張カードは前記スロットに挿設され、前記拡張カードの前記スロットから離れる一側には耳板を有する拡張カード用支持フレームであって、前記拡張カード用支持フレームは、前記回路基板の前記第一側辺に固定される第一結合段と、前記第一結合段の前記第二側辺に隣接する一端に連結される支持段と、前記支持段に連結されると共に前記第一結合段との間には間隔が設けられ、前記回路基板に対する高さを有すると共に前記拡張カードの前記耳板に対応し、前記耳板はそれに固定される第二結合段と、を備え、前記回路基板は選択的に仕事面に載置される、或いは前記第二側辺及び前記支持段により前記仕事面に直立になることを特徴とする。
【００１０】
また、本発明に記載される他の拡張カード用支持フレームは、少なくとも１つの拡張カードが回路基板に固定され、前記回路基板は隣り合う第一側辺並びに第二側辺及び少なくとも１つのスロットを有し、前記拡張カードは前記スロットに挿設され、前記拡張カードは前記スロットから離れる一側に耳板を有する拡張カード用支持フレームであって、前記拡張カード用支持フレームは、前記回路基板の前記第一側辺に固定される第一結合段と、前記第一結合段に連結される支持段と、前記支持段に連結されると共に前記第一結合段との間には間隔が設けられ、前記回路基板に対する高さを有すると共に前記拡張カードの前記耳板に対応し、前記耳板はそれに固定される第二結合段と、を備え、前記第二結合段は固定端及び活動端を有し、前記固定端は前記支持段に連結され、前記活動端は前記回路基板の前記第二側辺に向けて延伸されると共に前記第二側辺に対応し、前記回路基板は仕事面に選択的に載置される、或いは前記第二側辺及び前記活動端により前記仕事面に直立になることを特徴とする。
【発明の効果】
【００１１】
本発明によれば、拡張カード用支持フレームの第一結合段により回路基板に直接固定されると共に拡張カードの耳板は第二結合段に固定される配置方式により、パソコンケースに拡張カードを固定させる際の支持作用を与え、拡張カードの重量は拡張カード用支持フレームに分散されて回路基板のスロットに均一にかかり、回路基板のスロットの損壊を防いで回路基板のスロットの耐用年数を大幅に延ばし、回路基板と拡張カードとの間の電気信号の伝送機能を向上させる。このほか、本発明に係る拡張カード用支持フレームは回路基板の裸のマザーボードフレームとして使用でき、回路基板を拡張カード用支持フレームにより支持させてデスクや他の作業台等の仕事面に直立させて、ユーザーがパソコンの機能の調整や検査する際に回路基板を平らに寝かせるか仕事面に直立に立たせるか選択可能にし、利便性を向上させつつ電子部材を抜差しする手間を省いてパソコンの機能の検査時間を大幅に短縮し、特にパソコンのヘビーユーザーにとっては操作がより簡単になる。
【図面の簡単な説明】
【００１２】
【図１】本考案の第１実施形態による拡張カード用支持フレームの分解概略図である。
【図２】本考案の第１実施形態による拡張カード用支持フレームの組合せの概略図である。
【図３】本考案の第１実施形態による拡張カード用支持フレームの側面の概略図である。
【図４】本考案の第１実施形態による拡張カード用支持フレームの使用状態の概略図である。
【図５】本考案の第１実施形態による拡張カード用支持フレームの使用状態の概略図である。
【図６】本考案の第２実施形態による拡張カード用支持フレームの傾斜の概略図である。
【図７】考案の第２実施形態による拡張カード用支持フレームの使用状態の概略図である。
【図８】本考案の第３実施形態による拡張カード用支持フレームの傾斜の概略図である。
【図９】本考案の第３実施形態による拡張カード用支持フレームの使用状態の概略図である。
【発明を実施するための形態】
【００１３】
以下に図面を参照して本発明を実施するための形態について、詳細に説明する。なお、本発明は、以下に説明する実施形態に限定されるものではない。
【００１４】
（第一実施形態）
本発明の第一実施形態の構成を図１から図５に示す。本発明の実施形態に係る拡張カード用支持フレーム１０はビデオカード、テレビカード、サウンドカードや他のパソコン機能を拡張させるインターフェースカード等の拡張カード３０に適用されて回路基板２０に固定され、回路基板は拡張カード用支持フレームを裸のマザーボードのフレームとして使用し裸のマザーボード形式のパソコンシステム（ｂａｒｅ ｃｏｍｐｕｔｅｒ ｓｙｓｔｅｍ）を構成する。以下では本発明における好適な実施の形態において、拡張カード用支持フレーム１０によりビデオカードをマザーボードに固定させる形態を例に説明するが、これに限定されるものではない。また、本発明で掲示される拡張カード用支持フレーム１０は回路基板２０と結合して裸のマザーボード形式のパソコン（ｂａｒｅ ｃｏｍｐｕｔｅｒ）を形成した後、ユーザーは回路基板２０をデスクや作業平台等の仕事面４０に水平に置くか、拡張カード用支持フレーム１０の補助により回路基板２０を仕事面４０に直立させるかを選択でき、回路基板２０を裸のマザーボード形式で操作する以外に、裸のマザーボードの検査の利便性も向上させる。
【００１５】
ちなみに、回路基板２０は隣接する第一側辺２１０及び第二側辺２２０を有し、第一側辺２１０には間隔を空けて２つの位置決め孔が設置され、第一側辺２１０と第二側辺２２０との間には少なくとも１つのスロット２３０が電気的に配置される。スロット２３０は回路基板２０の第二側辺２２０に近接する一側に設置され、スロット２３０の一端は回路基板２０の第一側辺２１０に近接し、他端は第一側辺２１０から離れる方向に延伸され、回路基板２０の第二側辺２２０と平行になる。拡張カード３０はスロット２３０に電気的に挿設する為の接続インターフェース（Ｉ／Ｏカード等）を有し、拡張カード３０はスロット２３０の他側に対応する耳板３１０を有し、拡張カード用支持フレーム１０に固定される。上述の回路基板２０の型式、スロット２３０の配置方式、及び拡張カード３０の構造形態は皆従来の技術であり、本発明の技術的な特徴ではないため詳細な構造については説明を省く。
【００１６】
図１ないし図３に示すように、本発明の第一実施形態に係る拡張カード用支持フレーム１０は第一結合段１１０、支持段１２０、第二結合段１３０及び補佐支持段１４０を備え、支持段１２０及び補佐支持段１４０は第一結合段１１０の隣接する二端にそれぞれ連結され、支持段１２０及び補佐支持段１４０は第一結合段１１０と第二結合段１３０との間にそれぞれ垂直に連結され、第一結合段１１０、支持段１２０、第二結合段１３０、及び補佐支持段１４０は一体成型された矩形フレームを構成する。
【００１７】
拡張カード用支持フレーム１０の第一結合段１１０は本体１１１及び２枚の折り板１１２を備え、本体１１１は支持段１２０と補佐支持段１４０との間に連結され、２枚の折り板１１２は本体１１１に間隔を空けて設置されると共に回路基板２０の２つの位置決め孔にそれぞれ対応させる。２枚の折り板１１２は本体１１１から延伸されて形成されるが、これに制限させるわけではなく、各折り板１１２は直立段１１２１及び湾曲段１１２２を備え、直立段１１２１は支持段１２０に平行になり、湾曲段１１２２は支持段１２０に垂直になり、湾曲段１１２２には回路基板２０の位置決め孔に対応させる貫通孔が設置される。
【００１８】
拡張カード用支持フレーム１０の第二結合段１３０は支持段１２０と補佐支持段１４０との間に連結され、第二結合段１３０には少なくとも１つの結合部１３１が間隔を設けて設置され、結合部１３１の設置位置及び数量は回路基板２０のスロット２３０の配置位置及び数量に対応させる。
【００１９】
拡張カード用支持フレーム１０が回路基板２０に結合されると主に第一結合段１１０の２枚の折り板１１２により回路基板２０の第一側辺２１０に固定され、各折り板１１２の直立段１１２１は回路基板２０の第一側辺２１０に当接されて湾曲段１１２２を回路基板２０の表面に貼着させると共に湾曲段１１２２の貫通孔は回路基板２０の位置決め孔に標準を合わせる。その後、ねじやボルト等の錠止部材１６０の一端を貫通孔に通して位置決め孔内に錠止し、錠止部材１６０の他端に折り板１１２の湾曲段１１２２を触圧させ、２枚の折り板１１２を回路基板２０に固定させる。その他、拡張カード用支持フレーム１０と回路基板２０とが結合された時の安定性を高めるために圧力板１５０を回路基板２０の２枚の折り板１１２２に対する他側に選択的に配置させ、錠止部材１６０が回路基板２０の位置決め孔を貫通させた後に圧力板１５０に直接錠止させ、回路基板２０は２枚の折り板１１２２と圧力板１５０との間に挟まれて固定され、拡張カード用支持フレーム１０から離脱しにくくなる。
【００２０】
本実施形態による拡張カード用支持フレーム１０は錠止部材１６０により回路基板２０に錠止されるが、本発明に係る他の実施形態では拡張カード用支持フレーム１０は第一結合段１１０の構造形態を変化させて回路基板２０に結合される方式を採用してもよく、例えばリベットや溶接等の結合方法により回路基板２０に固定させてもよい。ほかにも第一結合段１１０を、凹型溝を有する形式で配置し、回路基板２０を緊合するように凹型溝内に嵌入させて拡張カード用支持フレーム１０と回路基板２０との結合を達成しても良い。このため、本発明に係る拡張カード用支持フレーム１０と回路基板２０との間の結合方式は上述の実施形態のように錠止部材１６０による錠止方式に限定しない。
【００２１】
拡張カード用支持フレーム１０の第一結合段１１０が回路基板２０の第一側辺２１０に固定されると、拡張カード用支持フレーム１０の支持段１２０の側辺は回路基板２０の第二側辺２２０に対応させる。つまりは、支持段１２０の側辺は回路基板２０の第二側辺２２０から突出させるか水平にし、或いは回路基板２０の第二側辺２２０に近接して第二側辺２２０との間隔を極小にすする。また、拡張カード用支持フレーム１０の支持段１２０の長さは拡張カード３０の回路基板２０の高さに等しいかそれより長く、第二結合段１３０と回路基板２０との間には高さＨを有し、高さＨは拡張カード３０の回路基板２０の高さに合わせて第二結合段１３０の結合部１３１を拡張カード３０の耳板３１０に対応し、拡張カード３０の耳板３１０は固定ユニット１７０により第二結合段１３０の結合部１３１に固定される。
【００２２】
固定ユニット１７０は単一のレイヤリングや複数のねじ或いはボルトにより組成され、単一のレイヤリング（ｌａｙｅｒｉｎｇ）形式を採用する場合、レイヤリングの対向する二端に設置される係合機構により第二結合段１３０の対向する二端に対応するよう係合される、或いはレイヤリングは第二結合段１３０の一端に枢設され、その後枢動しての係合方式により第二結合段１３０に結合されて拡張カード３０の耳板３１０をレイヤリングと第二結合段１３０の結合部１３１との間に挟んで固定させる。本実施形態によれば、複数のねじを固定ユニット１７０とし、拡張カード３０の耳板３１０を第二結合段１３０の結合部１３１に対応させて錠止させる例を以って説明するが、これに制限させるわけではない。
【００２３】
図１ないし図５によれば、使用中は拡張カード用支持フレーム１０、回路基板２０、及び拡張カード３０の三者を相互に結合させ、ユーザーは回路基板２０を仕事面４０に水平に置くか直立に立てて操作する。
【００２４】
回路基板２０が仕事面４０に水平に置かれると、拡張カード用支持フレーム１０の支持段１２０の長さは拡張カード３０の回路基板２０上での高さとなり、回路基板２０を対向する二側に横設させて第一結合段１１０の本体１１１及び第二結合段１３０を回路基板２０の対向する二側にそれぞれ位置させ、回路基板２０が拡張カード用支持フレーム１０の第一結合段１１０の支持を受けて傾斜し仕事面４０に載置され（図４参照)、回路基板２０と仕事面４０との間には空間を有し、回路基板２０を起動する場合外界との間で熱交換を行う放熱空間となる。
【００２５】
回路基板２０が仕事面に直立になる場合、拡張カード用支持フレーム１０の支持段１２０及び回路基板２０の第二側辺２２０の支持により仕事面に直立する（図５参照）。この際、拡張カード３０は拡張カード用支持フレーム１０の第二結合段１３０の支持により回路基板２０のスロット２３０に安定的に設置され、拡張カード３０のスロット２３０にかかる重量を有効的に分散し、スロット１３０中で拡張カード３０に接触するピンが受力して不均一になる問題を解決し、スロット２３０内のピンの弾性疲労や損壊を防ぐ。特に回路基板２０に複数の拡張カード３０を配置させる場合、拡張カード用支持フレーム１０の支持により拡張カード３０が回路基板２０で傾斜するのを防ぎ、２枚の拡張カード３０の間に連結されるＳＬＩ（Ｓｃａｌａｂｌｅ Ｌｉｎｋ Ｉｎｔｅｒｆａｃｅ）やクロスファイヤ（ＣＲＯＳＳＦＩＲＥ）等のブリッジと拡張カード３０との間でピンが離脱し正常に動作しなくなる状況を回避する。
【００２６】
また、回路基板２０は拡張カード用支持フレーム１０に支持されて仕事面に直接直立し、ユーザーは裸のマザーボード方式で回路基板２０の対向するスロット２３０の他側面の電気的接点に対し直接的に電気信号の検査を行い、回路基板２０を裸のマザーボード方式で操作できる等、検査の利便性を向上する。
【００２７】
この好ましい実施形態では、回路基板２０を仕事面に立たせる際の安定性を高め、拡張カード用支持フレーム１０の支持段１２０を選択的に湾曲させて接触面１２１を形成し、前記接触面１２１は回路基板２０の第二側辺２２０に水平になり、回路基板２０が仕事面に直立になる場合、支持段１２０の接触面１２１が仕事面に当接される事で拡張カード用支持フレーム１０と仕事面との接触面積を増加させ、更に安定的な支持効果を得る。また、支持段１２０の長さが回路基板２０の対向する二側に横設される配置方式では、回路基板２０が仕事面に直立になる際に前傾や後傾する危険性が低くなる。
【００２８】
上述の実施形態では、拡張カード用支持フレームの第二結合段に複数の結合部を設置させる例を挙げ説明するが、本発明の他の実施形態では拡張カード用支持フレームは異なる回路基板の規格に応じ第二結合段の結合部の数量を対応するよう配置させる。例えば回路基板の小さい規格には単一のスロットのみを配置させるが、この場合第二結合段に配置される複数のスロットが余っていれば、拡張カード用支持フレームのサイズを回路基板の規格に対応させて縮小させる事ができず、使用上不便になる。
【００２９】
（第二実施形態）
図６と図７を参照しながら、第二実施形態を説明する。本発明に係る第二実施形態と第一実施形態との構造は大方同じであり、両者の違いは、第二実施形態による拡張カード用支持フレーム１０は第一結合段１１０、支持段１２０、及び第二結合段１３０を備えるのみで、また第二結合段１３０にも結合部１３１を簡単に配置させるのみである点である。共通する点は、拡張カード３０を固定させる機能を与え、回路基板２０を仕事面に直立させる場合も支持段１２０の接触面１２１と回路基板２０の第二側辺との共同作用により仕事面に直立させ、第二結合段１３０により拡張カード３０を支持させて拡張カード３０の回路基板２０のスロット２３０にかかる重量を分散させる点である。
【００３０】
（第三実施形態）
本発明の第三実施形態の構成を図８及び図９に示す。本発明に係る第三実施形態と第一実施形態との構造は大方同じである。両者の違いは、本発明に係る第三実施形態の拡張カード用支持フレーム１０は第一結合段１１０、支持段１２０、及び第二結合段１３０を備え、また拡張カード用支持フレーム１０が第一結合段１１０の２枚の折り板１１２により回路基板２０に固定されると、拡張カード用支持フレーム１０の支持段１２０の第一結合段１１０の回路基板２０の第二側辺２２０から離れる一端は第一結合段１１０と第二結合段１３０との間に連結される点である。本実施形態によれば、第二結合段１３０は固定端１３２及び活動端１３３を備え、複数の結合部１３１は固定端１３２と活動端１３３との間に間隔を空けて設置されて拡張カード３０の耳板３１０を固定させる。固定端１３２は支持段１２０に連結され、活動端１３３は回路基板２０の第二側辺２２０に垂直になる方向に向け延伸され、第二結合段１３０の活動端１３３の端面は回路基板２０の第二側辺２２０に水平になるが、これに限られず、回路基板２０が仕事面に直立になると、本体の第二側辺２２０及び第二結合段１３０の活動端１３３は仕事面で支持される。
【００３１】
同様に、回路基板２０を仕事面に直立させる際の安定性を高めるため、拡張カード用支持フレーム１０の第二結合段１３０を選択的に湾曲させてストッパー１３４を形成させ、ストッパー１３４は第一結合段１１０に垂直になる方向に沿い活動端１３３に連結され、また回路基板２０の第二側辺２２０に水平になり回路基板２０を仕事面に直立させると、第二結合段１３０により拡張カード３０のスロット２３０にかかる重量を支持させる以外、第二結合段１３０のストッパー１３４により仕事面に当接されることで、拡張カード用支持フレーム１０と仕事面との接触面積を増加させ、更に安定的な支持効果を達成させる。また、第一結合段１１０の支持段１２０の一端に連結していない長さは回路基板２０の第二側辺２２０に水平になる設置方式を組合せ、拡張カード用支持フレーム１０の第一結合段１１０と第二結合段１３０とは回路基板２０の対向する二側にそれぞれ支持作用を与え、回路基板２０が仕事面で傾斜する危険性を低下させる。
【００３２】
以上、本発明はこのような実施形態に限定されるものではなく、発明の趣旨を逸脱しない範囲において、種々の形態で実施することができる。
【符号の説明】
【００３３】
１０  …  拡張カード用支持フレーム
１１０  …  第一結合段
１１１  …  本体
１１２  …  折り板
１１２１  …  直立段
１１２２  …  湾曲段
１２０  …  支持段
１２１  …  接触面
１３０  …  第二結合段
１３１  …  結合部
１３２  …  固定端
１３３  …  活動端
１３４  …  ストッパー
１４０  …  補佐支持段
１５０  …  圧力板
１６０  …  錠止部材
１７０  …  固定ユニット
２０  …  回路基板
２１０  …  第一側辺
２２０  …  第二側辺
２３０  …  スロット
３０  …  拡張カード
３１０  …  耳板
４０  …  仕事面
Ｈ  …  高さ
【図１】
2014220481.tif 000003
【図２】
2014220481.tif 000004
【図３】
2014220481.tif 000005
【図４】
2014220481.tif 000006
【図５】
2014220481.tif 000007
【図６】
2014220481.tif 000008
【図７】
2014220481.tif 000009
【図８】
2014220481.tif 000010
【図９】
2014220481.tif 000011
【手続補正書】
【提出日】平成26年9月5日(2014.9.5)
【手続補正１】
【補正対象書類名】特許請求の範囲
【補正対象項目名】全文
【補正方法】変更
【補正の内容】
【特許請求の範囲】
【請求項１】
少なくとも１つの拡張カードが回路基板に固定され、前記回路基板は隣り合う第一側辺並びに第二側辺、少なくとも１つのスロット、及び２つの位置決め孔を有し、前記拡張カードは前記スロットに挿設され、前記拡張カードの前記スロットから離れる一側には耳板を有する拡張カード用支持フレームであって、前記拡張カード用支持フレームは、
本体と、前記本体に平行になる直立段及び前記本体に垂直になる湾曲段を有し前記本体から延伸される２枚の折り板と、で構成され、前記直立段が前記回路基板の前記第一側辺に当接され、前記湾曲段が前記２つの位置決め孔に対応するように前記回路基板に固定されることにより前記回路基板の前記第一側辺に固定される第一結合段と、
前記回路基板の前記第二側辺に対して水平であり前記第二側辺と共に仕事面に対して前記回路基板を直立させる接触面を有し、前記本体に結合され、前記第一結合段の前記第二側辺に隣接する一端に連結される支持段と、
前記回路基板の前記スロットに対応し、前記拡張カードの前記耳板が固定される少なくとも１つの結合部を有し、前記支持段に連結され、前記第一結合段との間には間隔が空けられて配置され、前記回路基板に対する高さを有すると共に前記拡張カードの前記耳板に対応し、前記耳板が固定される第二結合段と、
前記回路基板の前記２枚の折り板に対する他側に設置される圧力板と、
２つの錠止部材と、
前記第二結合段の前記結合部に設置され、前記第二結合段と共に前記拡張カードの前記耳板を挟んで固定させる固定ユニットと、を備え、
各前記錠止部材は、一端が前記折り板及び前記位置決め孔を貫通して前記圧力板に固定され、他端が前記折り板に触圧し、
前記回路基板は選択的に前記仕事面に載置される、或いは前記第二側辺及び前記支持段により前記仕事面に直立になる事を特徴とする、拡張カード用支持フレーム。
【請求項２】
前記支持段の対向する両端は前記回路基板の対向する両側にそれぞれ位置する事を特徴とする、請求項１に記載の拡張カード用支持フレーム。
【請求項３】
前記第一結合段の前記第二側辺から離れる一端に設置されると共に前記第一結合段と前記第二結合段との間に連結される補佐支持段を更に備える事を特徴とする、請求項１に記載の拡張カード用支持フレーム。
【請求項４】
少なくとも１つの拡張カードが回路基板に固定され、前記回路基板は隣り合う第一側辺並びに第二側辺、少なくとも１つのスロット、及び２つの位置決め孔を有し、前記拡張カードは前記スロットに挿設され、前記拡張カードは前記スロットから離れる一側に耳板を有する拡張カード用支持フレームであって、前記拡張カード用支持フレームは、
本体と、前記本体から延伸され前記２つの位置決め孔に対応する２枚の折り板と、を備え、前記回路基板の前記第一側辺に固定される第一結合段と、
前記本体に連結され、前記第一結合段に連結される支持段と、
前記回路基板の前記スロットに対応し、前記拡張カードの前記耳板が固定される少なくとも１つの結合部を有し、前記支持段に連結されると共に前記第一結合段との間には間隔が設けられ、前記回路基板に対する高さを有すると共に前記拡張カードの前記耳板に対応し、前記耳板が固定される第二結合段と、
前記回路基板の前記２枚の折り板に対する他側に設置される圧力板と、
２つの錠止部材と、
前記第二結合段の前記結合部に設置されると共に前記第二結合段と共に前記拡張カードの前記耳板を挟んで固定させる固定ユニットと、を備え、
各前記折り板は前記本体に平行になる直立段及び前記本体に垂直になる湾曲段を有し、前記直立段は前記回路基板の前記第一側辺に当接され、前記湾曲段は前記回路基板に固定され、
各前記錠止部材は、一端が前記折り板及び前記位置決め孔を貫通して前記圧力板に固定され、他端が前記折り板に触圧し、
前記第二結合段は固定端及び活動端を有し、前記固定端は前記支持段に連結され、前記活動端は前記回路基板の前記第二側辺に向けて延伸されると共に前記第二側辺に対応し、前記回路基板は仕事面に選択的に載置される、或いは前記第二側辺及び前記活動端により前記仕事面に直立になる事を特徴とする拡張カード用支持フレーム。
【請求項５】
前記第二結合段の前記活動端はストッパーを更に有し、前記ストッパーは前記第一結合段の垂直方向に沿い延伸されると共に前記回路基板の前記第二側辺に水平になり、前記回路基板は前記ストッパー及び前記第二側辺により前記仕事面に直立になる事を特徴とする、請求項４に記載の拡張カード用支持フレーム。
【請求項６】
前記第一結合段の前記本体及び前記第二結合段は前記回路基板の対向する二側にそれぞれ位置される事を特徴とする、請求項４に記載の拡張カード用支持フレーム。